(57)【特許請求の範囲】
【請求項１】
液晶パネルの表示部周囲の端子部が接続されたテープキャリヤパッケージと、上記液晶パネルの上記端子部に対向するバックライトパネルまたはベゼルと上記テープキャリヤパッケージとの間に挟まれて、上記液晶パネルの表示部と上記バックライトパネルまたはベゼルとの間に隙間を形成するスペーサとを備えている液晶表示装置において、
上記スペーサは、上記液晶パネルの端子部とテープキャリヤパッケージとの接続部の略全域を覆って、上記接続部の外縁よりも外方に突出しており、
かつ、上記テープキャリヤパッケージは、上記スペーサのエッジで上記接続部とは反対の方向に屈曲していることを特徴とする液晶表示装置。
【請求項２】
請求項１に記載の液晶表示装置において、
上記スペーサは、弾性材料からなることを特徴とする液晶表示装置。
【請求項３】
請求項１または２に記載の液晶表示装置において、
上記スペーサを硬質樹脂で作製したことを特徴とする液晶表示装置。
【発明の詳細な説明】
【０００１】
【発明の属する技術分野】
この発明は、液晶表示装置に関し、特に液晶パネルの端子部とテープキャリヤパッケージとの接続部の機械的強度を向上できる液晶表示装置に関する。
【０００２】
【従来の技術】
従来、図４（Ａ），（Ｂ）に示すように、液晶パネル１０１のパネル電極端子１０２は、異方性導電フィルム１０３を介してテープキャリヤパッケージ（以下、ＴＣＰという）１０５に接続されている。このＴＣＰ１０５は、プリント基板１０６に接続されている。
【０００３】
一方、上記液晶パネル１０１の表示部１０７に対向するように、バックライトパネル１０８が配置されている。そして、このバックライトパネル１０８と上記ＴＣＰ１０５との間に防湿性樹脂からなるスペーサ１１０が配置されている。このスペーサ１１０は、表示部１０７とバックライトパネル１０８との間に所定の隙間Ｓ１を形成している。また、このスペーサ１１０は、内周側端面１１０Ａが表示部外周面１０７Ａに当接しており、底面１１０Ｂが異方性導電フィルム１０３とＴＣＰ１０５との接続部１１１を覆っている。なお、この接続部１１１は、上記パネル電極端子１０２の表面１０２Ａに配置されるベゼル１１２と上記バックライトパネル１０８とで挟まれており、バックライトパネル１０８とベゼル１１２はスペーサ１１０に圧力を加えている。この構成により、接続部１１１の機械的強度を向上させている。
【０００４】
また、上記スペーサ１１０は、外部から表示部１０７および接続部１１１にゴミや水分が侵入することを防止し、接続部１１１の腐食，表示部１０７の劣化を防止している。
【０００５】
【発明が解決しようとする課題】
しかし、上記従来の液晶表示装置は、図３に示すように、接続部１１１がスペーサ１１０よりも外側にはみ出しているので、ＴＣＰ１０５が折り曲げられると、接続部１１１のエッジ１１１Ａに、ＴＣＰ１０５を異方性導電フィルム１０３から引き剥がす方向（矢印Ａで示す方向）の応力が集中する。このため、ＴＣＰ１０５が異方性導電フィルム１０３から剥がれ易くなるという問題がある。
【０００６】
そこで、この発明の目的は、パネル電極端子とＴＣＰとの接続部および表示部へ外部から溶剤，水分，ゴミが侵入することを防止できる上に、接続部の機械的強度も向上させることができ、外力が加わったときに接続部でＴＣＰが剥がれることを防げる液晶表示装置を提供することにある。
【０００７】
【課題を解決するための手段】
上記目的を達成するため、請求項１の発明は、液晶パネルの表示部周囲の端子部が接続されたテープキャリヤパッケージと、上記液晶パネルの上記端子部に対向するバックライトパネルまたはベゼルと上記テープキャリヤパッケージとの間に挟まれて、上記液晶パネルの表示部と上記バックライトパネルまたはベゼルとの間に隙間を形成するスペーサとを備えている液晶表示装置において、
上記スペーサは、上記液晶パネルの端子部とテープキャリヤパッケージとの接続部の略全域を覆って、上記接続部の外縁よりも外方に突出しており、
かつ、上記テープキャリヤパッケージは、上記スペーサのエッジで上記接続部とは反対の方向に屈曲していることを特徴としている。
【０００８】
この請求項１の発明では、上記スペーサは、図２に示すように、液晶パネルの端子部とテープキャリヤパッケージとの接続部の略全域を覆っており、上記接続部の外縁よりも外方に突出している。したがって、▲１▼ＴＣＰの曲がり始めが、接続部エッジからスペーサエッジに変わり、▲２▼接続部にかかる力の方向を９０°変える。したがって、上記接続部の外縁への応力集中を抑えて、テープキャリヤパッケージが端子部から剥がれるのを防止できる。また、上記スペーサは、バックライトパネルまたはベゼルと上記テープキャリヤパッケージとの間に挟まれた状態で、上記接続部の略全域を覆っているので、接続部および表示部へ、溶剤，水分，ゴミが侵入することを防止できる。
【０００９】
また、請求項２の発明は、請求項１に記載の液晶表示装置において、上記スペーサは、弾性材料からなることを特徴としている。
【００１０】
この請求項２の発明では、スペーサが弾性材料で構成されているから、外からの衝撃をスペーサで吸収でき、耐衝撃性を向上できる。
【００１１】
また、請求項３の発明は、請求項１または２に記載の液晶表示装置において、上記スペーサを硬質樹脂で作製したことを特徴としている。
【００１２】
この請求項３の発明では、スペーサを硬質樹脂で作製したから、装置全体の機械的強度が上昇して、変形が起こり難くなり、したがって、接続部の接続不良が起こり難くなる。
【００１３】
【発明の実施の形態】
以下、この発明を図示の実施の形態により詳細に説明する。
【００１４】
図１（Ａ）に、この発明の液晶表示装置の実施形態を、液晶パネル１の表示面１Ａ側から見た様子を示す。この液晶表示装置は、図１（Ｃ）に示すように、液晶パネル１の表示部２周囲の端子部３が異方性導電フィルム５を介してテープキャリヤパッケージ６に接続されている。このテープキャリヤパッケージ６は外側に延在していて、外周部６Ａがプリント基板７に接続されている。
【００１５】
一方、上記液晶パネル１の端子部３とで上記ＴＣＰ６を挟むベゼル８が配置されており、このベゼル８とＴＣＰ６との間にスペーサ１０が配置されている。このスペーサ１０は、弾性材料で構成されており、ＴＣＰ６と異方性導電フィルム５と端子部３との接続部１１の全域を覆っている。また、このスペーサ１０の内周側端面１０Ｂは、表示部２の外周面２Ａに密着している。このスペーサ１０によって、表示部２とベゼル８との間に所定の隙間Ｇ１を形成している。この実施形態では、図１（Ｃ），図２に示すように、スペーサ１０が液晶パネル１の端子部３とＴＣＰ６との接続部１１の全域を覆っており、接続部１１の外縁１１Ａよりも外方に突出している。
したがって、▲１▼ＴＣＰ６の曲がり始めが、接続部１１の外縁１１Ａからスペーサ１０のエッジ１０Ａに変わり、▲２▼接続部１１にかかる力の方向を９０°変える（矢印Ｂの方向）。したがって、上記接続部１１の外縁１１Ａへの応力集中を抑えて、テープキャリヤパッケージ６が端子部３から剥がれるのを防止できる。したがって、接続部１１の外縁１１Ａへの応力集中を抑制して、ＴＣＰ６が端子部３，異方性導電フィルム５から剥がれるのを防止できる。また、上記スペーサ１０は、ベゼル８とＴＣＰ６との間に挟まれた状態で、接続部１１の全域を覆っているので、接続部１１および表示部２へ、溶剤，水分，ゴミが侵入することを防止できる。
【００１６】
また、上記スペーサ１０は弾性材料で構成されているので、外からの衝撃をこのスペーサ１０で吸収でき、耐衝撃性を向上できる。また、上記スペーサ１０を硬度が比較的高い硬質樹脂（例えば、硬度７０のシリコン樹脂）で作製したから、装置全体の機械的強度を上昇させることができる。
【００１７】
尚、上記実施形態では、端子部３を異方性導電フィルム５を介してテープキャリヤパッケージ６に電気的に接続したが、端子部３をヒートシールでもってテープキャリヤパッケージ６に電気的に接続してもよい。もっとも、異方性導電フィルム５を用いた方が狭い接続面積でもって導電性を確保できる。
【００１８】
上記実施形態において、ベゼル８をバックライトパネルに置き換えてもよい。この場合、ベゼルは液晶パネル端子部の表面１Ａに接して配置され、バックライトパネルとベゼルとで接続部を挟むようにする。
【００１９】
また、図１（Ｂ）に示すように、バックライトパネルからベゼルに向かって延在していているリブ２１がＴＣＰ６，６間に有る場合にも本発明を適用できる。このリブ２１は、バックライトパネルまたはベゼルから厚さ方向に延在しており、バックライトパネルとベゼルとの間隙を保つ役割を有し、組立時の位置合わせにも用いられる。この場合は、ＴＣＰ６，６間のリブ２１をよける凹部２３をスペーサ１０に形成すればよい。
【００２０】
【発明の効果】
以上より明らかなように、請求項１の発明は、スペーサが、液晶パネルの端子部とテープキャリヤパッケージとの接続部の略全域を覆っており、接続部の外縁よりも外方に突出している。したがって、▲１▼ＴＣＰの曲がり始めが、接続部エッジからスペーサエッジに変わり（モジュール機構の位置関係による）、▲２▼接続部にかかる力の方向を９０°変える。したがって、上記接続部の外縁への応力集中を抑えて、テープキャリヤパッケージが端子部から剥がれるのを防止できる。また、上記スペーサは、バックライトパネルまたはベゼルとテープキャリヤパッケージとの間に挟まれた状態で、接続部の略全域を覆っているので、接続部および表示部へ、溶剤，水分，ゴミが侵入することを防止できる。
【００２１】
また、請求項２の発明は、スペーサが弾性材料で構成されているから、外からの衝撃をスペーサで吸収でき、耐衝撃性を向上できる。
【００２２】
また、請求項３の発明では、スペーサを硬質樹脂で作製したから、装置全体の機械的強度が上昇して、変形が起こり難くなり、したがって、接続部の接続不良が起こり難くなる。
【図面の簡単な説明】
【図１】図１（Ａ）はこの発明の液晶表示装置の実施形態の平面図であり、図１（Ｂ）は上記実施形態の変形例の平面図であり、図１（Ｃ）は上記実施形態を側方から見た様子を示す断面図である。
【図２】上記実施形態の接続部に加わる力を示している断面図である。
【図３】従来の液晶表示装置において、接続部に加わる力を示している断面図である。
【図４】図４（Ａ）は上記従来の液晶表示装置の平面図であり、図４（Ｂ）の断面図である。
【符号の説明】
１…液晶パネル、１Ａ…表示面、２…表示部、２Ａ…外周面、３…端子部、
５…異方性導電フィルム、６…テープキャリヤパッケージ、６Ａ…外周部、
７…プリント基板、８…ベゼル、１０…スペーサ、１０Ｂ…内周側端面、
１１…接続部、Ｇ１…隙間。
【図１】
0003607076.tif 000002
【図２】
0003607076.tif 000003
【図３】
0003607076.tif 000004
【図４】
0003607076.tif 000005